(57)【要約】【課題】軽微な異常の場合には復帰を可能とすると共に、重大な問題が発生するおそれのある異常を確実に判定する。【解決手段】製氷工程において製氷保護タイマの製氷保護時間が経過したときの温度センサによる異常製氷時検出温度を、記憶部に製氷時記憶温度として記憶する。次の製氷工程において製氷保護タイマの製氷保護時間が再び経過したときには、その時点での温度センサによる異常製氷時検出温度を、記憶部に記憶されている製氷時記憶温度と比較し、異常製氷時検出温度が製氷時記憶温度より高い場合に、異常と判断して冷凍装置を停止する。【選択図】図３
2007032941.tif 000002
【特許請求の範囲】
【請求項１】
冷却器(14)に冷媒を循環供給することで温度変化する被検出部(36)の温度を検出する温度検出手段(40)と、所定の保護時間が設定されて、運転開始により計時を開始する保護タイマ(44,46)を備える冷凍装置の運転方法において、
前記保護タイマ(44,46)の保護時間が経過したときの温度検出手段(40)による検出温度を記憶部(48)に記憶し、次の運転サイクルにおいて再び保護タイマの保護時間が経過したときには、その時点での温度検出手段(40)による検出温度を、前記記憶部(48)に記憶されている前回の検出温度に基づき該前回の検出温度より低く設定される比較温度と比較し、今回の検出温度が比較温度より高い場合に、異常と判断して冷凍装置(12)を停止する
ことを特徴とする冷凍装置の運転方法。
【請求項２】
前記冷却器(14)が製氷部(10)に設けられ、該冷却器(14)に冷媒を循環供給することで製氷部(10)を冷却して氷塊を生成する製氷工程と、前記製氷部(10)を加熱して氷塊を融解離脱する除氷工程とを繰返し、製氷工程の運転サイクル時間より長い保護時間が設定された製氷用の保護タイマ(44)が、製氷工程の運転開始により計時を開始し、除氷工程の運転サイクル時間より長い保護時間が設定された除氷用の保護タイマ(46)が、除氷工程の運転開始により計時を開始するよう設定されている請求項１記載の冷凍装置の運転方法。
【発明の詳細な説明】
【技術分野】
【０００１】
本発明は、自動製氷機や冷蔵庫等に用いられる冷凍装置の運転方法に関するものである。
【背景技術】
【０００２】
自動製氷機は、製氷部に配設した冷却器と圧縮機や凝縮器等を冷媒管を介して接続した冷凍装置を備え、製氷工程においては、冷却器に循環供給される冷媒により冷却される製氷部に製氷水を供給して氷塊を生成する。そして、製氷部に完全な氷塊が生成されると、冷凍装置に介挿したホットガス弁を開放し、冷却器にホットガス(高温冷媒)を供給して製氷部を加熱する除氷工程に切換えることで、製氷部と氷塊との氷結面を融解して氷塊を剥離してストッカ内に落下放出させる。製氷部から氷塊が放出されるとホットガス弁を閉成して、再び製氷工程に切換える。このように、自動製氷機は、製氷工程と除氷工程とを繰返すことで、多量の氷塊を自動的に製造するようになっている。
【０００３】
前記製氷工程から除氷工程および除氷工程から製氷工程への運転状態の切換えは、製氷部や冷却器出口側の冷媒管等に設けたサーミスタによる検出温度に基づいて行なわれている(例えば、特許文献１参照)。すなわち、サーミスタの検出温度が製氷完了温度以下となったときに、製氷工程から除氷工程に切換え、またサーミスタの検出温度が除氷完了温度以上となったときに、除氷工程から製氷工程に切換えるよう構成される。また特許文献１では、製氷工程において正規の製氷時間より短かい時間で、サーミスタが過冷却設定温度を検出したときには、給水異常により過冷却状態が発生したものとして運転を停止するよう制御している。
【特許文献１】特許第２９６６６０７号公報
【発明の開示】
【発明が解決しようとする課題】
【０００４】
ここで、ガス漏れやホットガス弁不良、その他、冷凍装置に異常が発生した場合は、以下の問題を招く。例えば、製氷工程に切換わってもホットガス弁が閉成されない場合は、冷却器が加熱され続けるためにサーミスタの検出温度が何時までたっても製氷完了温度以下にならず、冷却器温度の過昇による、樹脂部品の溶解等を招くおそれがある。また、除氷工程に切換わってもホットガス弁が開放されない場合は、冷却器が冷却され続けるためにサーミスタの検出温度が何時までたっても除氷完了温度以上にならず、冷却器温度の過冷却による、過氷、氷の過成長による製氷機構部破壊等の問題が発生するおそれがある。このように冷凍装置に異常が発生すると、重大な問題を招くが、前記特許文献１の運転方法では、冷凍装置の異常には対応することができない。
【０００５】
そこで、製氷工程および除氷工程の継続時間の上限を規定する保護タイタを設け、各工程に切換わったときに計時を開始する保護タイマに設定された保護時間が経過したときには、前記サーミスタの検出温度に関係なく、強制的に冷凍装置を停止する制御を行なうことで、装置を保護するようにした方法が提案される。しかし、冷凍装置に異常が発生した場合であっても、その異常が、例えばホットガス弁にゴミ等が詰まった等の軽微なものであれば、該弁を再度開閉させることで異常が解消して正常な状態に復帰する可能性があるが、前記方法では軽微な異常であっても保護タイマの保護時間が経過したときには冷凍装置を停止してしまうため、装置の稼働率が低下する難点が指摘される。
【０００６】
すなわちこの発明は、従来の技術に内在する前記課題に鑑み、これらを好適に解決するべく提案されたものであって、軽微な異常の場合には復帰を可能とすると共に、重大な問題が発生するおそれのある異常を確実に判定し得る冷凍装置の運転方法を提供することを目的とする。
【課題を解決するための手段】
【０００７】
前記課題を克服し、所期の目的を好適に達成するため、本願の請求項１の発明に係る冷凍装置の運転方法は、
冷却器に冷媒を循環供給することで温度変化する被検出部の温度を検出する温度検出手段と、所定の保護時間が設定されて、運転開始により計時を開始する保護タイマを備える冷凍装置の運転方法において、
前記保護タイマの保護時間が経過したときの温度検出手段による検出温度を記憶部に記憶し、次の運転サイクルにおいて再び保護タイマの保護時間が経過したときには、その時点での温度検出手段による検出温度を、前記記憶部に記憶されている前回の検出温度に基づき該前回の検出温度より低く設定される比較温度と比較し、今回の検出温度が比較温度より高い場合に、異常と判断して冷凍装置を停止することを特徴とする。
この請求項１の発明によれば、前回の運転サイクルでの検出温度に基づき該検出温度より低く設定される比較温度と、今回の運転サイクルでの検出温度とを比較し、今回の検出温度が比較温度より高い場合に冷凍装置を停止するから、重大な問題が発生するのを未然に防止することができる。すなわち、冷凍装置において異常が発生した場合は、温度が上昇することで重大な問題の発生に繋がる可能性が高く、この状態を確実に判定して冷凍装置を保護することができる。また、今回の検出温度が比較温度より低い場合は、軽微な異常の場合が多く、冷凍装置を停止することなく運転サイクルを反復することで、異常を解消して正常な状態に復帰させることが可能となり、無駄に冷凍装置の運転を停止して稼働率が低下するのを防ぐことができる。
【０００８】
請求項２の発明は、前記冷却器が製氷部に設けられ、該冷却器に冷媒を循環供給することで製氷部を冷却して氷塊を生成する製氷工程と、前記製氷部を加熱して氷塊を融解離脱する除氷工程とを繰返し、製氷工程の運転サイクル時間より長い保護時間が設定された製氷用の保護タイマが、製氷工程の運転開始により計時を開始し、除氷工程の運転サイクル時間より長い保護時間が設定された除氷用の保護タイマが、除氷工程の運転開始により計時を開始するよう設定されている。
この請求項２の発明によれば、製氷工程および除氷工程が繰返す装置での異常を確実に判定することができる。
【発明の効果】
【０００９】
本発明に係る冷凍装置の運転方法によれば、異常を確実に判定して、重大な問題が発生するのを未然に防止する。また軽微な異常の場合には、無駄に冷凍装置の運転を停止して稼働率が低下するのを防ぐことができる。
【発明を実施するための最良の形態】
【００１０】
次に、本発明に係る冷凍装置の運転方法につき、好適な実施例を挙げて、添付図面を参照して以下に説明する。実施例では、冷凍装置を備える自動製氷機を挙げて説明するが、冷蔵庫や冷凍庫等であってもよい。なお、実施例の自動製氷機の製氷機構として、流下式を挙げて説明するが、その機構はオープンセルタイプ、クローズセルタイプ等、何れの構成であってもよい。
【実施例】
【００１１】
図１は、実施例に係る冷凍装置の運転方法が実施される自動製氷機としての流下式製氷機の概略構成を示すものであって、垂直な製氷板(製氷部)１０の裏面に、冷凍装置１２を構成する冷却器１４が密着固定され、製氷工程(運転サイクル)時に冷媒を循環させて製氷板１０を強制冷却するよう構成される。この製氷板１０の直下には、除氷工程(運転サイクル)により該製氷板１０から剥離されて落下する氷塊を、斜め下方に配設したストッカ１６に案内する案内板１８が傾斜姿勢で配設されている。なお、この案内板１８には多数の通孔が穿設されており、製氷工程に際し前記製氷板１０の前面(以後「製氷面」と云う)に供給された製氷水、および除氷工程に際し製氷板１０の裏面に供給された除氷水は、該案内板１８の通孔を介して下方に位置する製氷水タンク２０に回収されるようになっている。
【００１２】
前記製氷水タンク２０から循環ポンプＰＭを介して導出した製氷水供給管２２は、前記製氷板１０の上方に設けた製氷水散布器２４に接続している。この製氷水散布器２４には多数の散水孔が穿設され、製氷工程時に製氷水タンク２０からポンプ圧送される製氷水を、前記散水孔から前記製氷板１０の氷結温度まで冷却されている製氷面に散布流下させ、該製氷面に所定形状の氷塊を生成するよう構成される。
【００１３】
図示の自動製氷機には、除氷工程に際して冷凍装置１２に配設されるホットガス弁ＨＶ(後述)の切換えにより、前記冷却器１４にホットガス(高温冷媒)を循環させて製氷板１０を加熱して製氷面と氷塊との氷結面を融解させる際に、製氷板１０の裏面に常温の水(以下「除氷水」と云う)を散布して、その昇温による除氷促進を行なうための除氷水供給系が、前述した製氷水供給系とは別に設けられている。すなわち、外部水道系に接続する除氷水供給管２６が、図１に示す如く、前記製氷板１０の裏面上部に設けた除氷水散布器２８に給水弁ＷＶを介して接続されている。そして、除氷工程に際して給水弁ＷＶを開放することで、外部水道系から供給された除氷水は、除氷水散布器２８に穿設した多数の散水孔を介して製氷板１０の裏側に散布供給されて流下し、製氷板１０と氷塊との氷結面を融解する。なお、製氷板１０の裏側を流下した除氷水は、製氷水と同様に前記案内板１８の通孔を介して製氷水タンク２０に回収され、これが次回の製氷水として使用される。
【００１４】
前記冷凍装置１２は、図１に示す如く、圧縮機ＣＭ、凝縮器３０、膨張弁３２および前記冷却器１４を、この順で冷媒管３４,３６により接続して構成される。そして、製氷工程において、圧縮機ＣＭで圧縮された気化冷媒は、吐出管(冷媒管)３４を経て凝縮器３０で凝縮液化し、膨張弁３２で減圧され、冷却器１４に流入してここで一挙に膨張して蒸発し、前記製氷板１０と熱交換を行なって、該製氷板１０を氷点下にまで冷却させる。この冷却器１４で蒸発した気化冷媒は、被検出部としての吸入管(冷媒管)３６を経て圧縮機ＣＭに帰還するサイクルを反復する。また冷凍装置１２は、圧縮機ＣＭの吐出管３４から分岐するホットガス管３８を備え、このホットガス管３８は、ホットガス弁ＨＶを経て冷却器１４の入口側に連通されている。ホットガス弁ＨＶは、除氷工程の際にのみ開放して、圧縮機ＣＭから吐出されるホットガスを、ホットガス管３８を介して冷却器１４にバイパスさせ、製氷板１０を加熱することにより、製氷面に生成される氷塊の氷結面を融解させて、該氷塊を自重により落下させるよう構成される。すなわち、圧縮機ＣＭを運転したもとで、ホットガス弁ＨＶを開閉制御することで、製氷工程と除氷工程とが交互に繰返されて、氷塊が製造されるようになっている。なお、図中の符号ＦＭは、製氷工程時に運転(ＯＮ)されて凝縮器３０を空冷するファンモータを示す。
【００１５】
前記冷却器１４の冷媒出口側に接続する前記吸入管３６には、製氷板１０と熱交換を行なった後の冷媒出口温度を検出する温度検出手段としてのサーミスタ等の温度センサ４０の感温部が密着的に配設されている。そして、この温度センサ４０の検出温度は、後述する制御装置４２に入力されるようになっている。
【００１６】
自動製氷機は、その電気的制御の全般を統括するマイクロコンピュータ等からなる制御装置４２を備え、図２に示す如く、該制御装置４２には、前記温度センサ４０が接続されている。この制御装置４２は、製氷工程が開始されて前記冷却器１４に供給される冷媒により冷却された製氷板１０に氷塊が生成されることで温度低下する冷媒の温度が、予め設定された製氷完了温度に達したことを温度センサ４０が検出することで、製氷が完了したものと判断し、製氷工程を停止して除氷工程に切換える制御を行なう。また制御装置４２は、除氷工程が開始されて冷却器１４に供給されるホットガスにより加熱された製氷板１０から氷塊が離脱することにより急激に温度上昇するホットガスの温度が、予め設定された除氷完了温度に達したことを温度センサ４０が検出することで、除氷が完了したものと判断し、除氷工程を停止して製氷工程に切換える制御を行なうよう設定されている。すなわち、制御装置４２は、温度センサ４０による検出温度に基づいて、製氷工程と除氷工程とを切換えるよう構成される。
【００１７】
前記制御装置４２は、製氷用の保護タイマ(以後、「製氷保護タイマ」と云う)４４と除氷用の保護タイマ(以後、「除氷保護タイマ」と云う)４６および温度センサ４０の検出温度を記憶可能な記憶部４８とを備える。製氷保護タイマ４４は、製氷工程の開始(運転サイクルの開始)と同時に計時を開始し、除氷保護タイマ４６は、除氷工程の開始(運転サイクルの開始)と同時に計時を開始するよう設定される。製氷保護タイマ４４には、正常時において製氷工程を開始して前記温度センサ４０が製氷完了温度を検出するまでに要する製氷時間(運転サイクル時間)より長い製氷保護時間(保護時間)が設定されている。そして、温度センサ４０が製氷完了温度を検出する前に、製氷保護タイマ４４の製氷保護時間が経過したときには、制御装置４２は、何らかの異常が発生したものと判断して、記憶部４８に製氷保護時間の経過時点での温度センサ４０の検出温度を記憶するよう設定される。但し、製氷保護タイマ４４の製氷保護時間が経過する前に、温度センサ４０が製氷完了温度を検出した場合は、制御装置４２は、異常が発生していないものと判断し、除氷工程を開始させると共に製氷保護タイマ４４をリセットするよう設定されている。
【００１８】
また除氷保護タイマ４６には、正常時において除氷工程を開始して温度センサ４０が除氷完了温度を検出するまでに要する除氷時間(運転サイクル時間)より長い除氷保護時間(保護時間)が設定されている。そして、温度センサ４０が除氷完了温度を検出する前に、除氷保護タイマ４６の除氷保護時間が経過したときには、制御装置４２は、何らかの異常が発生したものと判断して、記憶部４８に除氷保護時間の経過時点での温度センサ４０の検出温度を記憶するよう設定される。但し、除氷保護タイマ４６の除氷保護時間が経過する前に、温度センサ４０が除氷完了温度を検出した場合は、制御装置４２は、異常が発生していないものと判断し、製氷工程を開始させると共に除氷保護タイマ４６をリセットするよう設定されている。なお、前記記憶部４８に記憶される検出温度は、自動製氷機の電源投入時に消去されるようになっている。また、以下、製氷保護時間の経過時点で記憶部４８に記憶された温度を「製氷時記憶温度」と云い、また除氷保護時間の経過時点で記憶部４８に記憶された温度を「除氷時記憶温度」と云う)。
【００１９】
更に、制御装置４２では、製氷工程において温度センサ４０が製氷完了温度を検出する前に、製氷保護タイマ４４の製氷保護時間が経過したときに、前記記憶部４８に製氷時記憶温度および除氷時記憶温度が記憶されているか否かを確認し、両記憶温度の何れもが無ければ、今回の製氷工程での温度センサ４０の検出温度(以下、「異常製氷時検出温度」と云う)を、製氷時記憶温度として記憶し、除氷工程に切換える。そして、既に除氷時記憶温度が記憶部４８に記憶されている場合は、除氷工程と製氷工程とで２回続けて異常が発生しているものと判断し、この場合は復帰不能な異常であると判断して冷凍装置１２の運転を停止制御するよう設定されている。また、既に製氷時記憶温度が記憶部４８に記憶されている場合は、その製氷時記憶温度に基づいて該製氷時記憶温度から所定値を差引くことで製氷時記憶温度より低い比較温度を算出し、該比較温度と異常製氷時検出温度とを比較し、異常製氷時検出温度が比較温度より高い場合は、復帰不能な異常であると判断して冷凍装置１２の運転を停止するよう制御する。但し、異常製氷時検出温度が比較温度より低い場合は、復帰可能な異常であると判断して、既に記憶されている製氷時記憶温度を消去して異常製氷時検出温度を新たな製氷時記憶温度として記憶部４８に記憶するよう設定してある。なお、両記憶温度の有・無に関係なく、製氷工程における異常製氷時検出温度が０℃以下である場合は、氷塊が生成可能な状態であると判断し、記憶部４８に異常製氷時検出温度を記憶することなく除氷工程に切換えるよう設定される。また、前記比較温度を算出するための所定値としては、冷凍装置１２の設置状況や使用条件等に応じて、例えば０〜３℃の範囲で設定され、異常製氷時検出温度が製氷時記憶温度と略同じか僅かに低い場合であっても、異常であると判断させ得るようにしている。
【００２０】
また制御装置４２は、除氷工程において温度センサ４０が除氷完了温度を検出する前に、除氷保護タイマ４６の除氷保護時間が経過したときに、前記記憶部４８に製氷時記憶温度および除氷時記憶温度が記憶されているか否かを確認し、両記憶温度が無ければ、今回の除氷工程での温度センサ４０の検出温度(以下、「異常除氷時検出温度」と云う)を除氷時記憶温度として記憶し、製氷工程に切換える。そして、既に何れか一方の記憶温度が記憶部４８に記憶されている場合は、製氷工程と除氷工程とで２回以上続けて異常が発生しているものと判断し、この場合は復帰不能な異常であると判断して冷凍装置１２の運転を停止制御するよう設定されている。
【００２１】
〔実施例の作用〕
次に、実施例に係る冷凍装置の運転方法の作用について、図３のフローチャートを参照して説明する。製氷工程を開始すると(ステップＳ１)、前記冷凍装置１２の圧縮機ＣＭおよびファンモータＦＭが起動(ＯＮ)すると共に、前記製氷保護タイマ４４の計時が開始される。なお、前記ホットガス弁ＨＶは閉成している。製氷工程の開始により、前記製氷板１０は冷却器１４内を循環する冷媒と熱交換を行なって強制冷却され、前記製氷水タンク２０から循環ポンプＰＭを介して製氷板１０の製氷面に供給される製氷水は徐々に氷結を始める。なお、氷結することなく製氷面から落下する製氷水は、前記案内板１８の通孔を介して製氷水タンク２０に回収され、再び製氷板１０に供給される。
【００２２】
次に、ステップＳ２で前記製氷保護タイマ４４の製氷保護時間が経過したか否かを判定し、経過していなければ、ステップＳ２が否定(ＮＯ)されてステップＳ３に移行して、前記温度センサ４０が製氷完了温度を検出したか否かの判定がなされる。そして、温度センサ４０が製氷完了温度を検出していなければ、ステップＳ３が否定(ＮＯ)されてステップＳ２に戻るフローが、ステップＳ２またはステップＳ３の何れかが肯定(ＹＥＳ)されるまで繰返される。
【００２３】
前記ステップＳ２で肯定(ＹＥＳ)される前に、ステップＳ３が肯定(ＹＥＳ)される、すなわち製氷保護タイマ４４の製氷保護時間が経過する前に温度センサ４０が製氷完了温度を検出すると、制御装置４２は、正常な製氷工程が行なわれたものと判断し、ステップＳ４で製氷保護タイマ４４をリセットした後、製氷工程を終了してステップＳ５で除氷工程を開始すると共に、除氷保護タイマ４６の計時を開始する。
【００２４】
前記ステップＳ３で肯定(ＹＥＳ)される前に、ステップＳ２が肯定(ＹＥＳ)される、すなわち、温度センサ４０が製氷完了温度を検出する前に、前記製氷保護タイマ４４の製氷保護時間が経過すると、ステップＳ６に移行して、その時の温度センサ４０での検出温度である異常製氷時検出温度が、０℃以下であるか否かを判定し、肯定(ＹＥＳ)であれば、制御装置４２は、製氷可能な状態であると判断して、ステップＳ５に移行して除氷工程を開始する。すなわち、製氷工程が正常な製氷時間より長くなったとしても、冷却器１４の冷媒出口温度が０℃以下であれば、製氷板１０での製氷を行なうことが可能であるから、冷凍装置１２を停止して稼働率を下げるのを回避することができる。
【００２５】
前記異常製氷時検出温度が０℃より高い場合は、ステップＳ６が否定(ＮＯ)され、ステップＳ７に移行し、前記記憶部４８に除氷時記憶温度が記憶されているか否かを判定する。記憶部４８に除氷時記憶温度が無ければ、ステップＳ７が否定(ＮＯ)されてステップＳ８に移行し、記憶部４８に製氷時記憶温度が記憶されているか否かを判定する。記憶部４８に製氷時記憶温度が無ければ、ステップＳ８が否定(ＮＯ)されてステップＳ９に移行し、前記記憶部４８に異常製氷時検出温度を製氷時記憶温度として記憶した後、ステップＳ５に移行して除氷工程を開始する。すなわち、記憶部４８に除氷時記憶温度および製氷時記憶温度が何れも記憶されていなければ、初回の異常製氷時検出温度であると判断して、運転を続ける。
【００２６】
前記ステップＳ７が肯定(ＹＥＳ)、すなわち記憶部４８に除氷時記憶温度が記憶されている場合は、直前の除氷工程でも異常により除氷工程が正常に終了していないことを意味し、制御装置４２は、復帰不能な異常が発生しているものと判断し、ステップＳ１０に移行して冷凍装置１２の運転を停止する。このように、異常製氷時検出温度が０℃より高く、かつ除氷工程と製氷工程とで続けて正常に工程が終了していない場合は、例えば温度センサ４０の断線や圧縮機ＣＭ自体の故障等、運転を継続しても復帰の見込みのない異常である可能性が高く、強制的に冷凍装置１２を運転停止することで冷凍装置１２や製氷板１０等の各部品の保護を図ることができる。
【００２７】
またステップＳ８が肯定(ＹＥＳ)、すなわち記憶部４８に製氷時記憶温度が記憶されている場合は、製氷時記憶温度から予め設定された所定値を差引いた比較温度を算出し、ステップＳ１１で異常製氷時検出温度が比較温度より高いか否かを判定する。そして、異常製氷時検出温度が比較温度より低く、ステップＳ１１が否定(ＮＯ)されると、制御装置４２は、各工程を繰返すことで異常が解消されて正常な状態に復帰可能な軽微な異常であると判断し、ステップＳ１２に移行し、記憶部４８に異常製氷時検出温度を新たな製氷時記憶温度として記憶した後、ステップＳ５に移行して除氷工程を開始する。すなわち、前回の製氷工程の終了時における異常製氷時検出温度に基づき算出された比較温度より、今回の製氷工程の終了時における異常製氷時検出温度が低いことは、異常が解消される方向に向かっていると見込まれ、直ちに冷凍装置１２の運転を停止することで稼働率が低下するのを防ぐことができる。
【００２８】
しかるに、ステップＳ１１が肯定(ＹＥＳ)、すなわち異常製氷時検出温度が記憶部４８に記憶されている製氷時記憶温度に基づき算出された比較温度より高い場合は、冷却運転を行なっているのにも拘らず、冷媒の温度が高くなり、異常が悪化する方向に進んでいると考えられ、制御装置４２は、復帰不能な異常が発生しているものと判断し、ステップＳ１０に移行して冷凍装置１２の運転を停止する。このように、異常製氷時検出温度が０℃より高く、かつ異常製氷時検出温度が比較温度より高い場合は、例えばホットガス弁ＨＶの故障により閉成不能となる等、運転を継続しても復帰の見込みがなく、重大な問題を招くおそれのある異常である可能性が高く、強制的に冷凍装置１２を運転停止することで冷凍装置１２や製氷板１０等の各部品の保護を図ることができる。
【００２９】
ここで、例えばホットガス弁ＨＶが途中までしか閉まらないような閉弁不良の場合は、製氷時記憶温度(前回のサイクル時の温度)と異常製氷時検出温度(今回のサイクル時の温度)とが略同じか僅かに低くなることが考えられ、異常製氷時検出温度と製氷時記憶温度とを直に比較した場合は、復帰の見込みがあるものと判断されるおそれがある。しかるに、前記ホットガス弁ＨＶの閉弁不良が発生している場合は、異常製氷時検出温度が製氷時記憶温度より低くなっていても、実際には復帰の見込みがある状況でなく、重大な問題に発展するおそれがある。そこで実施例では、ホットガス弁ＨＶの閉弁不良等、異常製氷時検出温度が製氷時記憶温度より低くなることが予想される異常時の温度変動範囲を見越して所定値を設定し、製氷時記憶温度から所定値を差引くことで算出した比較温度と異常製氷時検出温度とを比較することで、同じような温度が連続した場合にも復帰不能な異常と判断して強制的に冷凍装置１２を運転停止することで、各部品の保護を図るようにしてある。
【００３０】
次に、前記ステップ５で除氷工程が開始されると、前記ホットガス弁ＨＶが開放されて、前記冷却器１４にホットガスが循環供給される。また前記給水弁ＷＶが開放し、外部水道系から除氷水が前記製氷板１０の裏面に供給される。この除氷工程により前記製氷板１０から氷塊が完全に離脱し、ホットガスの温度上昇により温度センサ４０が除氷完了温度を検出すると、前記制御装置４２は除氷工程を終了して製氷工程に切換える。
【００３１】
ステップＳ１３で前記除氷保護タイマ４６の除氷保護時間が経過したか否かを判定し、経過していなければ、ステップＳ１３が否定(ＮＯ)されてステップＳ１４に移行して、前記温度センサ４０が除氷完了温度を検出したか否かの判定がなされる。そして、温度センサ４０が除氷完了温度を検出していなければ、ステップＳ１４が否定(ＮＯ)されてステップＳ１３に戻るフローが、ステップＳ１３またはステップＳ１４の何れかが肯定(ＹＥＳ)されるまで繰返される。
【００３２】
前記ステップＳ１３で肯定(ＹＥＳ)される前に、ステップＳ１４が肯定(ＹＥＳ)される、すなわち除氷保護タイマ４６の除氷保護時間が経過する前に温度センサ４０が除氷完了温度を検出すると、制御装置４２は、正常な除氷工程が行なわれたものと判断し、ステップＳ１５で除氷保護タイマ４６をリセットした後、除氷工程を終了してステップＳ１に戻って前述したフローを行なう。
【００３３】
前記ステップＳ１４で肯定(ＹＥＳ)される前に、ステップＳ１３が肯定(ＹＥＳ)される、すなわち、温度センサ４０が除氷完了温度を検出する前に、前記除氷保護タイマ４６の除氷保護時間が経過すると、ステップＳ１６に移行して、前記記憶部４８に製氷時記憶温度が記憶されているか否かを判定する。記憶部４８に製氷時記憶温度が無ければ、ステップＳ１６が否定(ＮＯ)されてステップＳ１７に移行し、記憶部４８に除氷時記憶温度が記憶されているか否かを判定する。記憶部４８に除氷時記憶温度が無ければ、ステップＳ１７が否定(ＮＯ)されてステップＳ１８に移行し、前記記憶部４８に異常除氷時検出温度を除氷時記憶温度として記憶した後、ステップＳ１に移行して製氷工程を開始する。すなわち、記憶部４８に製氷時記憶温度および除氷時記憶温度が何れも記憶されていなければ、初回の異常除氷時検出温度であると判断して、運転を続ける。
【００３４】
前記ステップＳ１６が肯定(ＹＥＳ)、すなわち記憶部４８に製氷時記憶温度が記憶されている場合は、直前の製氷工程でも異常により製氷工程が正常に終了していないことを意味し、制御装置４２は、復帰不能な異常が発生しているものと判断し、ステップＳ１９に移行して冷凍装置１２の運転を停止する。またステップＳ１７が肯定(ＹＥＳ)、すなわち記憶部４８に除氷時記憶温度が記憶されている場合は、前回の除氷工程でも異常により除氷工程が正常に終了していないことを意味し、制御装置４２は、復帰不能な異常が発生しているものと判断し、ステップＳ１９に移行して冷凍装置１２の運転を停止する。このように、直前の製氷工程と今回の除氷工程、あるいは前回の除氷工程と今回の除氷工程の複数の工程が正常に終了していない場合は、前述した温度センサ４０の断線や圧縮機ＣＭ自体の故障等、運転を継続しても復帰の見込みのない異常である可能性が高く、強制的に冷凍装置１２を運転停止することで冷凍装置１２や製氷板１０等の各部品の保護を図ることができる。
【００３５】
〔変更例〕
本願は前述した実施例の構成に限定されるものでなく、その他の構成を適宜に採用することができる。
１． 実施例では、温度センサを吸入管に配設した場合で説明したが、該温度センサの配設位置はこれに限られるものでなく、製氷板等、冷却器に冷媒を循環供給することで温度変化する部分であればよい。
２． 実施例では、記憶部に１回の製氷工程や除氷工程での異常終了時の検出温度(異常製氷時検出温度，異常除氷時検出温度)を記憶したが、３回以上の工程での異常終了時の検出温度を記憶部に記憶させるようにしてもよい。この場合は、記憶部に記憶されている３つ以上の温度データを、異常原因の特定に役立てることができる。
３． 実施例では、製氷時記憶温度に基づいて算出される比較温度と異常製氷時検出温度とを比較する場合で説明したが、前記所定値を０℃に設定することで、製氷時記憶温度と異常製氷時検出温度とを直に比較するようにし、異常製氷時検出温度が製氷時記憶温度より高ければ復帰不能な異常と判断するようにしてもよい。
４． 実施例では、保護時間を正常時における運転サイクル時間より長い時間に設定した場合で説明したが、保護時間を正常時における運転サイクル時間より短い時間に設定し、該短い保護時間が経過した時点での温度センサによる検出温度が、予め設定されている異常と判断される所定温度Ｔに達しているか否かを判定するようにしてもよい。この場合は、運転サイクル時間が経過する前に、異常発生を判断することができ、異常を早期に発見し得るメリットがある。また、正常時における運転サイクル時間に対して長い保護時間と短い保護時間とを併用することも可能である。
【００３６】
なお、４．の変更例の制御フローについて、前述した実施例と異なる部分についてのみ簡単に説明すれば、図４に示す如く、ステップＳ１で製氷工程を開始した後、ステップＳ２０で前記製氷保護タイマ４４の短い製氷保護時間が経過し、かつ(Ｃ)を通っていないか、いるかを判定し、ステップＳ２０が否定(ＮＯ)されればステップＳ２１に移行する。そして、ステップＳ２１では、前記温度センサ４０が製氷完了温度を検出するか、または長い製氷保護時間が経過したか否かを判定し、ステップＳ２１が否定(ＮＯ)であればステップＳ２０に戻り、ステップＳ２１が肯定(ＹＥＳ)であればステップＳ４に移行する。
【００３７】
前記ステップＳ２０が肯定(ＹＥＳ)されるとステップＳ２２に移行して、その時の温度センサ４０での検出温度である異常製氷時検出温度が、Ｔ℃以下であるか否かを判定し、肯定(ＹＥＳ)であれば、ステップＳ２０に移行する。また、ステップＳ２２が否定(ＮＯ)であればステップＳ７に移行する。なお、ステップＳ９およびステップＳ１２を行なった後は、ステップＳ２０に戻るフローとなる。
【００３８】
〔付記〕
本願発明は、前記請求項を更に限定することができる。
１． 請求項２において、
製氷工程において製氷用の保護タイマ(44)の保護時間が経過したときの温度検出手段(40)による検出温度を記憶部(48)に記憶し、次の除氷工程において除氷用の保護タイマ(46)の保護時間が経過したときには、異常と判断して冷凍装置(12)を停止する。
２． 請求項２において、
製氷工程において製氷用の保護タイマ(44)の保護時間が経過したときの温度検出手段(40)による検出温度を記憶部(48)に記憶し、次の製氷工程において製氷用の保護タイマ(44)の保護時間が再び経過したときには、その時点での温度検出手段(40)による検出温度を、前記記憶部(48)に記憶されている前回の検出温度から算出した比較温度と比較し、今回の検出温度が比較温度より高い場合に、異常と判断して冷凍装置(12)を停止する。
３． 請求項２において、
除氷工程において除氷用の保護タイマ(46)の保護時間が経過したときの温度検出手段(40)による検出温度を記憶部(48)に記憶し、次の製氷工程または除氷工程において製氷用または除氷用の保護タイマ(44,46)の保護時間が経過したときは、異常と判断して冷凍装置(12)を停止する。
４． 請求項２において、
製氷工程において製氷用の保護タイマ(44)の保護時間が経過したときの温度検出手段(40)による検出温度が０℃以下であれば、正常と判断して運転を継続する。
【図面の簡単な説明】
【００３９】
【図１】実施例に係る冷凍装置の運転方法が好適に実施される自動製氷機の概略構成図である。
【図２】実施例に係る冷凍装置の制御ブロック図である。
【図３】実施例に係る冷凍装置の制御フローチャート図である。
【図４】変更例に係る冷凍装置の制御フローチャート図である。
【符号の説明】
【００４０】
１０ 製氷板(製氷部)，１４ 冷却器，３６ 吸入管(被検出部)
４０ 温度センサ(温度検出手段)，４４ 製氷保護タイマ(製氷用の保護タイマ)
４６ 除氷保護タイマ(除氷用の保護タイマ)，４８ 記憶部
【図１】
2007032941.tif 000003
【図２】
2007032941.tif 000004
【図３】
2007032941.tif 000005
【図４】
2007032941.tif 000006